(57)【特許請求の範囲】
【請求項１】
定荷重における伸長率がタテ方向及びヨコ方向とも相対的に低い強緊締領域と、タテ方向及びヨコ方向のいずれか一方の同伸長率が相対的に高い弱緊締領域を含む靴下であって、
前記強緊締領域は、親指袋の少なくとも一部を覆い、第１中足骨の底面と側面を覆い、内側踏まず部から第１中足骨の上方に上がり、
内果の下部に沿って踵骨の後側面に回り、外果の下部を通過する位置までベルト状で連続し、前記外果の下部を通過した位置で下方に下がり、
外側踏まず部から第５中足骨底部を通り前記親指袋まで連続し、足底踏まず部の主要部を覆い、
前記弱緊締領域は、少なくとも底から見て親指以外の指袋とこれに連続する第２〜第５中足骨頭付近までの領域に存在し、
前記親指袋の強緊締領域は、親指上面基部を除き親指全面を覆っていることを特徴とする靴下。
【請求項２】
前記強緊締領域は、前記足底踏まず部から小指に向かって突出する突出部を有する請求項１に記載の靴下。
【請求項３】
前記内果の下部から踵の後側部を通り外果の下部まで連続しているベルト状の部分は、幅が１０〜２０ｍｍである請求項１又は２に記載の靴下。
【請求項４】
前記靴下は、標準サイズの足型を１００％としたとき、５０〜９０％の大きさで作成されている請求項１〜３のいずれかに記載の靴下。
【請求項５】
前記強緊締領域は、１５Ｎ荷重におけるタテ方向及びヨコ方向の伸長率は１２０％以上２５０％未満であり、前記弱緊締領域の１５Ｎ荷重におけるタテ方向及びヨコ方向のいずれか一方の伸長率は２５０％以上３５０％以下である請求項１〜４のいずれかに記載の靴下。
【請求項６】
前記弱緊締領域は、伸長率１５０％における強力が２〜９．９Ｎであり、前記強緊締領域は伸長率１５０％における強力が１０〜１８Ｎである請求項１〜５のいずれかに記載の靴下。
【発明の詳細な説明】
【技術分野】
【０００１】
本発明は靴下に関するものであり、より詳しくは歩行時の体重移動がしやすい靴下に関する。
【背景技術】
【０００２】
靴下は運動機能を補助し、バランスや姿勢制御に役立つことが知られている。特許文献１には、足裏面から見て親指袋から斜めに踵部の側面を通り、小指袋につなぐ弾性繊維材が提案されている。特許文献２には、親指袋から第１中足骨の側面を通り踵部の側面まで補強材を配置することが提案されている。特許文献３には、親指袋の一部から第１中足骨の側面を通り踵部の側面までと、中足部と基節骨の関節部を取り巻くように補強材を配置することが提案されている。本出願人らは特許文献４において、土踏まずを横切る領域と踵骨上方を横切る領域に高弾性部材を配置することを提案している。
【先行技術文献】
【特許文献】
【０００３】
【特許文献１】特開２００８−１２１１７７号公報
【特許文献２】特表２０１０−５１８８９８号公報
【特許文献３】特開２０１２−０３４７１８号公報
【特許文献４】特開２００６−２２５８３３号公報
【発明の概要】
【発明が解決しようとする課題】
【０００４】
しかし、従来の技術は、快適な歩行を実現するには不十分であるという問題があった。
【０００５】
本発明は、前記従来の問題を解決するため、歩行時の体重移動を適正にし、爪先まで使って歩行するよう誘導でき、異常な動作での歩行を抑制し、快適な歩行ができる靴下を提供する。
【課題を解決するための手段】
【０００６】
本発明の靴下は、定荷重における伸長率がタテ方向及びヨコ方向とも相対的に低い強緊締領域と、タテ方向及びヨコ方向のいずれか一方の同伸長率が相対的に高い弱緊締領域を含む靴下であって、前記強緊締領域は、親指袋の少なくとも一部を覆い、第１中足骨の底面と側面を覆い、内側踏まず部から第１中足骨の上方に上がり、内果の下部に沿って踵骨の後側面に回り、外果の下部を通過する位置までベルト状で連続し、前記外果の下部を通過した位置で下方に下がり、外側踏まず部から第５中足骨底部を通り前記親指袋まで連続し、足底踏まず部の主要部を覆い、前記弱緊締領域は、少なくとも底から見て親指以外の指袋とこれに連続する第２〜第５中足骨頭付近までの領域に存在し、前記親指袋の強緊締領域は、親指上面基部を除き親指全面を覆っていることを特徴とする。
【発明の効果】
【０００７】
本発明の靴下は、歩行時の体重移動を適正にし、爪先まで使って歩行するよう誘導でき、異常な動作での歩行を抑制し、快適な歩行ができる。より詳しくは、歩行時において踵から着地し、足裏全面に体重移動し、足裏全面から足指側に体重を移動し、最後は親指先端から足を上げていく一連の歩行動作を誘導でき、異常な動作での歩行を抑制し、快適な歩行ができる。
【図面の簡単な説明】
【０００８】
【図１】図１は本発明の一実施例における靴下の模式的底面図である。
【図２】図２は同、上面図である。
【図３】図３は同、左側面図である。
【図４】図４は同、右側面図である。
【図５】図５Ａ−Ｄは本発明の一実施例における靴下を履いた時の歩行説明図である。
【図６】図６は本発明の実施例１と比較例１の靴下を履いて歩行したときの垂直分力の移動グラフである。
【図７】図７Ａは本発明の実施例１と比較例１の靴下を履いて歩行したときの快適性を示すグラフである。
【発明を実施するための形態】
【０００９】
本発明の靴下は、定荷重における伸長率がタテ方向及びヨコ方向とも相対的に低い強緊締領域と、同伸長率がタテ方向及びヨコ方向のいずれか一方の伸長率が相対的に高い弱緊締領域を含む。前記強緊締領域は、下記のａ〜ｃを連続した領域である。
ａ．親指袋の少なくとも一部を覆い、第１中足骨の側面を通り、内側踏まず部から第１中足骨の上方に上がり、
ｂ．内果の下部に沿って踵骨の後側面に回り、外果の下部を通過する位置までベルト状で連続し、前記外果の下部を通過した位置で下方に下がり、
ｃ．外側踏まず部から第５中足骨底部を通り前記親指袋まで連続し、足底踏まず部の主要部を覆う。
【００１０】
前記ａにより、親指を基点としてテンションを与え、親指にしっかりと荷重させるように誘導するラインができる。また前記ｃにより、第５中足骨底部から第１中足骨底部の領域にかけて、母趾球を基点としてテンションを与え、重心が外側から内側に向かって移動するように誘導するラインができる。
【００１１】
本発明の弱緊締領域は、少なくとも、底から見て親指以外の指袋とこれに連続する第２〜第５中足骨頭付近までの領域に存在する。また前記強緊締領域以外の領域に存在していても良い。例えば、内果と外果の各下部を踵の後ろ側面で結ぶ線より上の足首領域と、踵領域と、表から見て親指以外の指袋とこれに連続する足首領域までである。
【００１２】
親指袋の強緊締領域は、親指上面基部を除き親指全面を覆うのが好ましい。これにより、親指は常に足底面の踵側に引っ張られ、歩行時の足裏全面の着地から親指先端に体重移動する一連の歩行動作を円滑にできる。
【００１３】
強緊締領域は、足底踏まず部から小指に向かって突出する突出部を有していても良い。これにより、足底踏まず部をより強固に緊締できる。
【００１４】
内果の下部から踵の後側部を通り外果の下部まで連続しているベルト状の部分は、幅が１０〜２０ｍｍであるのが好ましい。これにより、踵の後側部から足指袋までテンションを与えることができる。
【００１５】
本発明の靴下は、標準サイズの足型を１００％としたとき、５０〜９０％の大きさに作成されているのが好ましく、さらに好ましくは６５％〜７５％の大きさである。これにより、足のサポートがより強固にできる。
【００１６】
強緊締領域は、１５Ｎ荷重におけるタテ方向及びヨコ方向の伸長率は１２０％以上２５０％未満が好ましく、さらに好ましくは１４０〜２２０％である。また、弱緊締領域の１５Ｎ荷重におけるタテ方向及びヨコ方向のいずれか一方の伸長率は２５０％以上３５０％以下であるのが好ましく、さらに好ましくは２７０〜３３０％である。これにより、より有効に爪先まで使って歩行するよう誘導できる。
【００１７】
弱緊締領域は、伸長率１５０％（元の長さの１．５倍に伸長）における強力が２〜９．９Ｎが好ましく、さらに好ましくは３〜９．５Ｎである。また、強緊締領域は伸長率１５０％における強力が１０〜１８Ｎであるのが好ましく、さらに好ましくは１０〜１５Ｎである。これにより、より有効に爪先まで使って歩行するよう誘導できる。
【００１８】
本発明の靴下は、親指袋が独立していればよく、２本以上５本以下の指袋を持つ靴下が好ましい。本発明において、２本以上５本以下の指袋の靴下は、指ソックスとも言う。
【００１９】
本発明の靴下は、一例として、靴下編機（丸編機）を使用して編成する。まず、足首の部分から丸編して円周状に編成する。踵の部分に来たら、丸編機の一部の編針を使用して先端が狭い台形になるように編成し、続いて逆の形に編成を進め、編始めの部分まで戻ったらベース編の丸編みに戻して踏まず部を編成する。踏まず部は括れ形に編成しても良い。次に各指袋を編成する。最後に指袋の上の開口部を縫製することにより靴下となる。
【００２０】
靴下に使用する繊維は、弾性糸を含む繊維糸が好ましい。弾性糸は、ポリウレタン系弾性糸及びポリエステル系弾性糸から選ばれる少なくとも一つであることが好ましい。ストレッチ性が高く、靴下に適しているからである。前記弾性糸は、ベアヤーン（裸糸）として、非弾性糸（リジッド糸）と引きそろえて使用しても良いし、又は表面にポリエステル繊維、ナイロン繊維、アクリル繊維、ウール、木綿などが被覆されたカバードヤーンとして使用しても良い。
【００２１】
本発明の靴下は、例えばロナティー社製の丸編機を使用して編成できる。この編機のうち本発明に特に好適なのは、編機の径が３．７５インチであり、針本数が２００本の編機である。
【００２２】
以下図面を用いて説明する。以下の図面においては、同一符号は同一物であることを示す。図１は本発明の一実施例における靴下の模式的底面図、図２は同上面図、図３は同左側面図、図４は同右側面図である。この靴下１の強緊締領域は、底面から見て親指袋２の全部を覆い、第１中足骨の底面と足底踏まず部の主要部３を覆い、内果の下部から外果の下部４までベルト状に配置されている。さらに強緊締領域は、足底踏まず部から小指に向かって突出する突出部１１を含む。
【００２３】
弱緊締領域は、踵部５と、第２〜５指袋とこれに続く第２〜５中足骨の底面６と、足首部７と、靴下上面８である。図２の１２は縫製ラインである。
【００２４】
図１の矢印９は、第１中足骨の底面と足底踏まず部の主要部３を覆う強緊締領域により、親指を基点としてテンションが与えられ、親指にしっかりと荷重させるように誘導するラインである。図１の矢印１０は、同強緊締領域により、第５中足骨底部から第１中足骨底部の領域にかけて、母趾球を基点としてテンションが与えられ、重心が外側から内側に向かって移動するように誘導するラインである。
【００２５】
図５Ａ−Ｄは本発明の一実施例における靴下を履いた時の歩行説明図である。まず、図５Ａに示すように歩行時は踵から着地する。矢印は筋肉の活動方向である。次に図５Ｂに示すように足裏全面に体重移動し、次いで足裏全面から足指側に体重を移動し（図５Ｃ）、最後は親指先端から足を上げていく（図５Ｄ）。本実施例の靴下はこの歩行動作を助け、踵から着地の際（図５Ａ）から親指先端から足を上げていくまで（図５Ｄ）、図１の矢印９及び１０に示すテンションが与えられ、一連の歩行動作を誘導でき、異常な動作での歩行を抑制し、快適な歩行ができる。
【実施例】
【００２６】
以下、本発明の実施例について述べるが、本発明はこれらに限定されるものではない。
【００２７】
（実施例１）
＜使用糸＞
１．親指袋
ポリウレタン糸（繊度７７ｄｅｃｉｔｅｘ）にナイロン糸（繊度７７ｄｅｃｉｔｅｘ）をカバーリングしたファイバーツイステッドヤーン（ＦＴＹ）糸を４本引き揃えた糸
２．強緊締領域
（１）ポリウレタン糸（繊度７７ｄｅｃｉｔｅｘ）にナイロン糸（繊度７７ｄｅｃｉｔｅｘ）をカバーリングしたファイバーツイステッドヤーン（ＦＴＹ）糸を４本引き揃えた糸
（２）ポリウレタン糸（繊度１９８ｄｅｃｉｔｅｘ）にポリエチレンテレフタレート糸（繊度８３ｄｅｃｉｔｅｘ）を２本カバーリングしたダブルカバードヤーン（ＤＣＹ）糸
３．靴下本体
（ｉ）ポリウレタン糸（繊度３３ｄｅｃｉｔｅｘ）にポリエチレンテレフタレート糸（繊度８３ｄｅｃｉｔｅｘ）をカバーリングしたファイバーツイステッドヤーン（ＦＴＹ）糸
（ｉｉ）アクリル糸（３２／−：毛番手）、ポリウレタン（繊度：３３ｄｅｃｉｔｅｘ（３０ｄ））に綿糸（３０／−：綿番手）をカバーリングしているコアスパンヤーン（ＣＳＹ）糸
【００２８】
＜編機＞
ロナティー社製の丸編機を使用した。この丸編み機は直径が３．７５インチであり、針本数が２００本である。
＜編成方法＞
１．親指袋
編み物組織はプレーン編みとした。
２．強緊締領域
編み物組織はプレーン編み＋ゴム編みとした。
３．靴下本体
編み物組織はプレーン編み＋ゴム編みとした。
以上の編成方法で図１〜４に示す靴下を編成した。得られた靴下のサイズは１８ｃｍであり、これが標準足の２５ｃｍ用であるので、着用時には約１．５倍に拡張して足に着用することになる。１足の重量は４８ｇであった。
【００２９】
また、各領域の１５Ｎと１８Ｎの伸長率（平均値）、及び伸長率１５０％における強力は表１に示すとおりである。
【００３０】
【表１】
0006377580.tif 000002
【００３１】
得られた靴下を履いて歩行時の垂直分力を測定した。比較例として、一般的なソックスを同様に測定した。この結果を図６に示す。図６から明らかなとおり、本発明の実施例１の靴下は比較例（従来品）に比べて垂直分力（床を押す力）が高いことが確認できた。
【００３２】
次に自然な状態で快適に歩行する速度を測定した。その結果、図７に示す通り、本発明の実施例１の靴下は比較例（従来品）に比べて快適歩行速度が約１３％高いことが確認できた。
【産業上の利用可能性】
【００３３】
本発明の靴下は、歩行用に好適であるが、登山、トレッキング、ハイキング、スキー、スノーボード、スケート、野球、ゴルフ、ホッケー、サッカー、ジョギング、マラソン、テニス、バドミントン、スカッシュ、卓球などあらゆるスポーツにも好適である。その他、一般の靴下としても有用である。
【符号の説明】
【００３４】
１  靴下
２  親指袋
３  第１中足骨の底面と足底踏まず部の主要部
４  内果の下部から外果の下部
５  踵部
６  第２〜５指袋とこれに続く第２〜５中足骨の底面
７  足首部
８  靴下上面
１１  突出部
１２  縫製ライン
【図１】
0006377580.tif 000003
【図２】
0006377580.tif 000004
【図３】
0006377580.tif 000005
【図４】
0006377580.tif 000006
【図５】
0006377580.tif 000007
【図６】
0006377580.tif 000008
【図７】
0006377580.tif 000009